(57)【要約】【課題】  強磁性体製の壁面に対し、簡単な構成でありながら、下方向への滑り現象を確実に阻止することのできる、壁面装着具の取り付け構造を提供する。【解決手段】正面側の下方に受け部３が形成されていて、背面側にマグネット６を設けて強磁性体製物品に磁気吸着可能な壁面装着具１と、強磁性体製でなる壁面板Ｓとからなり、壁面装着具１の背面には係止突起４が形成されていると共に、強磁性体製でなる壁面板Ｓには嵌合穴Ｓａが多数形成されており、壁面装着具１は、その係止突起４を、強磁性体製の壁面板Ｓに形成された嵌合穴Ｓａに挿入することにより、下方向への移動が規制された状態で磁気吸着にて取り付けられる構成とした。なお、係止突起４の下方には抜け止め部を形成してもよい。また、壁面装着具１は、フック部材等として単独で使用しても良いし、複数使用して棚板８等を取り付けるようにしてもよい。【選択図】  図４
0003156750.tif 000002
【実用新案登録請求の範囲】
【請求項１】
正面側に物品保持部が形成されていて背面側が強磁性体製物品に磁気吸着可能な壁面装着具と、強磁性体製でなる壁面とからなり、
上記壁面装着具の背面には係止突起が形成されていると共に、強磁性体製でなる壁面には多数の嵌合穴が形成されており、
上記壁面装着具は、その係止突起を、上記強磁性体製の壁面に形成された嵌合穴に挿入することにより、この強磁性体製の壁面に対して移動が規制された状態で磁気吸着にて取り付けられることを特徴とする壁面装着具の取り付け構造
【請求項２】
壁面装着具の係止突起の先端部には、この係止突起の幅と略同一で下方に突出する抜け止め部が形成されており、
一方、強磁性体製でなる壁面は板状で上記係止突起並びに抜け止め部が挿入可能な嵌合穴が形成されていて、
上記壁面装着具の係止突起の抜け止め部を、板状でなる強磁性体製の壁面に形成された嵌合穴の下方内面側に挿入可能としたことを特徴とする請求項１に記載の壁面装着具の取り付け構造
【請求項３】
壁面装着具の係止突起の先端部は、この係止突起の幅と略同一で、下方、及び又は、上方に突出する抜け止め部が形成された縦長の鍔状部となっており、
一方、強磁性体製でなる壁面は板状に形成され、かつ、上記壁面装着具の鍔状部が挿入する嵌合穴は、略水平方向に横長に形成された長穴となっていて、
上記壁面装着具は、上記板状でなる強磁性体製の壁面に形成された長穴に対して、その鍔状部を略水平状態になるような状態で挿入した後、垂直状態まで回転を戻すことにより該長穴の内面側に挿入可能な構成としたことを特徴とする請求項１に記載の壁面装着具の取り付け構造
【請求項４】
強磁性体製でなる壁面は、多数の嵌合穴が形成されている強磁性体製壁面板と、その背面の周囲に磁気吸着にて取り付ける帯状のマグネット製スペーサー、並びにこのマグネット製スペーサーの背面が磁気吸着する強磁性体製台板とで構成されており、
上記マグネット製スペーサーの厚さで形成される間隙部によって、壁面装着具の係止突起並びに抜け止め部の挿入を可能としたことを特徴とする請求項１から３のいずれか１項に記載の壁面装着具の取り付け構造
【請求項５】
壁面装着具は棚受であって、その載置面上に断面略Ｌ字状でなる棚板を側面方向から収納可能な棚板嵌合溝並びに棚板立ち上がり部嵌合空間を形成することにより物品保持部を構成したことを特徴とする請求項１から４のいずれか１項に記載の壁面装着具の取り付け構造
【請求項６】
壁面装着具はフック部材であって、その垂直板の下方に空間部を介して正面側に立ち上がらせたフック部により物品保持部を構成したことを特徴とする請求項１から４のいずれか１項に記載の壁面装着具の取り付け構造
【考案の詳細な説明】
【技術分野】
【０００１】
本考案は、強磁性体製の壁面に磁気吸着力にて取り付けることのできる壁面装着具の取り付け構造に関するものである。
【背景技術】
【０００２】
従来から、強磁性体製の壁面に対して磁気吸着させて使用するフック部材等の壁面装着具は幅広く使用されている。
そして、これらの壁面装着具においては、単に磁気吸着させただけの場合は、衝撃的な力が作用したり、高重量が負荷された場合に下方向に滑りやすい性質をもっているため、それを防ぐための構成も多く提案されている。
【０００３】
例えば、特許文献１においては、マグネットフックの上部に、折り畳み式の引っ掛け部を設けており、この引っ掛け部を、磁気吸着させる物品の上面に引っ掛けた状態で取り付けることにより、マグネットフックの下方向への移動を防いでいる。
また、特許文献２には、壁面に磁気吸着させる磁石層を有する吸着板の下方に、回動式のＬ型アームでなるフックが取り付けられていて、このＬ型アームの直状部の下方に吸盤製の滑り止め部材を設ける構成が開示されている。
なお、この構成は、フックに吊り下げ物を取り付けた際には、滑り止め部材が磁気吸着させる壁面に対して梃子の原理で押し付けられるので、単に滑り止め部材を追加した構成より、優れた滑り止め効果が期待できるものとなっている。
【先行技術文献】
【特許文献】
【０００４】
【特許文献１】実開平７−２５８８６号公報
【特許文献２】実公平３−１９７９０５号公報
【考案の概要】
【考案が解決しようとする課題】
【０００５】
しかしながら、特許文献１に記載された技術においては、マグネットフックの上部を引っ掛ける構成であるため、このマグネットフックを取り付けるための壁面は、上端が開放されていなければならないという制約が生じることになり、キャビネットやパーテーション等の据え置き式の物品における壁面で、しかも、その上端部にしか使用することが困難という利用範囲が限られるものとなっていた
また、特許文献２に記載された技術においては、構造が複雑で部品点数も多くなるため生産コストが高くなるという不都合が生じていた。
【０００６】
そこで、本考案は、これらの従来技術の不都合を解消すべく、通常の部屋等の壁面に対して、簡単な構成でありながら、下方向への滑り現象を確実に阻止することのできる、壁面装着具の取り付け構造を提供することを課題とする。
【課題を解決するための手段】
【０００７】
上記の課題を解決させるために、本考案は、正面側に物品保持部が形成されていて背面側が強磁性体製物品に磁気吸着可能な壁面装着具と、強磁性体製でなる壁面とからなり、壁面装着具の背面には係止突起が形成されていると共に、強磁性体製でなる壁面には多数の嵌合穴が形成されており、壁面装着具は、その係止突起を、強磁性体製の壁面に形成された嵌合穴に挿入することにより、この強磁性体製の壁面に対して移動が規制された状態で磁気吸着にて取り付けられる構成とした。
【０００８】
この構成によれば、壁面装着具は、基本的には強磁性体製の壁面に磁気吸着力で強固に取り付けられるが、さらに、背面に形成した係止突起を、強磁性体製の壁面に形成された嵌合穴に挿入する構成となっているため、下方向に大きな負荷等がかかっても、その嵌合部が破損しない限り下方向に移動できないという堅固な構成となっているため、滑り現象を確実に防止することができる。
【０００９】
なお、その場合に、壁面装着具の係止突起の先端部には、この係止突起の幅と略同一で下方に突出する抜け止め部が形成されており、一方、強磁性体製でなる壁面は板状で係止突起並びに抜け止め部が挿入可能な嵌合穴が形成されていて、壁面装着具の係止突起の抜け止め部を、板状でなる強磁性体製の壁面に形成された嵌合穴の下方内面側に挿入可能とする構成としてもよい。
【００１０】
こうすることにより、壁面装着具は、正面方向への移動も阻止されるので、強磁性体製の壁面への取り付け状態が安定し、より確実に、強磁性体製の壁面からの下方向への滑りを防止することができる。
【００１１】
また、壁面装着具の係止突起の先端部は、この係止突起の幅と略同一で、下方、及び又は、上方に突出する抜け止め部が形成された縦長の鍔状部となっており、一方、強磁性体製でなる壁面は板状に形成され、かつ、壁面装着具の鍔状部が挿入する嵌合穴は、略水平方向に横長に形成された長穴となっていて、壁面装着具は、板状でなる強磁性体製の壁面に形成された長穴に対して、その鍔状部を略水平状態になるような状態で挿入した後、垂直状態まで回転を戻すことにより、この長穴の内面側に挿入可能な構成としてもよい。
【００１２】
このように構成にしても、壁面装着具は、正面方向への移動が阻止され、強磁性体製の壁面への取り付け状態が安定するので、より確実に、強磁性体製の壁面からの下方向への滑りを防止することができる。
【００１３】
なお、強磁性体製でなる壁面は、多数の嵌合穴が形成されている強磁性体製壁面板と、その背面の周囲に磁気吸着にて取り付ける帯状のマグネット製スペーサー、並びにこのマグネット製スペーサーの背面が磁気吸着する強磁性体製台板とで構成されており、マグネット製スペーサーの厚さで形成される間隙部によって、壁面装着具の係止突起並びに抜け止め部の挿入を可能とするような構成で実施してもよい。
【００１４】
このようにすれば、基礎となる強磁性体製台板があれば、簡単に多数の嵌合穴が形成されている強磁性体製壁面を作製することができるので好適である。
【００１５】
なお、壁面装着具は、具体的には棚受とし、その載置面上に断面略Ｌ字状でなる棚板を側面方向から収納可能な棚板嵌合溝並びに棚板立ち上がり部嵌合空間を形成することにより物品保持部を構成するようにして実施することができる。
【００１６】
また、壁面装着具を、フック部材とし、その垂直板の下方に空間部を介して正面側に立ち上がらせたフック部により物品保持部を構成するようにして実施することもできる。
【考案の効果】
【００１７】
本考案によれば、簡単な構成でありながら、壁面装着具の下方向への滑りを確実に防止することができる。
従って、壁面装着具は、壁面に対して簡単に取り付けることができると共に、大きな負荷重の物品を載置或いは装着することができる。
【図面の簡単な説明】
【００１８】
【図１】本考案の実施例１を表わしたものであり、（ａ）は棚受本体の分解斜視図、（ｂ）は棚受の分解斜視図、（ｃ）は棚受の背面から見た斜視図、（ｄ）は棚受の正面から見た斜視図を示している。
【図２】本考案の実施例１を表わしたものであり、（ａ）は取り付け手順を示す斜視図、（ｂ）は取り付け状態を示す斜視図を示している。
【図３】本考案の実施例１を表わしたものであり、（ａ）は取り付け状態を示す断面図、（ｂ）は取り付け状態を示す背面図を示している。
【図４】本考案の実施例１を表わしたものであり、（ａ）は、棚板の取り付け手順を示す斜視図、（ｂ）は拡大断面図を示している。
【図５】本考案の実施例２を表わしたものであり、（ａ）は取り付け手順を示す斜視図、（ｂ）は取り付け手順を示す拡大背面図、（ｃ）は取り付け状態を示す斜視図、（ｄ）は取り付け状態を示すＡ−Ａ’断面図、（ｅ）は取り付け状態を示すＢ−Ｂ’断面図を示している。
【図６】実施例２の変形例を表わしたものであり、（ａ）は取り付け手順を示す斜視図、（ｂ）は取り付け手順を示す拡大背面図、（ｃ）は取り付け状態を示す斜視図、（ｄ）は取り付け状態を示すＣ−Ｃ’断面図、（ｅ）は取り付け状態を示すＤ−Ｄ’断面図を示している。
【図７】本考案の実施例３を表わしたものであり、（ａ）は棚受の正立状態の斜視図、（ｂ）は取り付け手順を示す斜視図、（ｃ）は取り付け手順を示す拡大背面図、（ｄ）は棚受の挿入状態を示す斜視図、（ｅ）は取り付け状態を示す斜視図を示している。
【図８】本考案の実施例３を表わしたものであり、（ａ）は取り付け状態を示すＥ−Ｅ’断面図、（ｂ）は取り付け状態を示すＦ−Ｆ’断面図を示している。
【図９】本考案における棚受の変形例を表わしたものであり、（ａ）は変形例１の斜視図、（ｂ）は変形例２の斜視図を示している。
【図１０】本考案の実施例４を表わしたものであり、（ａ）は背面から見た斜視図、（ｂ）は正面から見た斜視図、（ｃ）は実使用時の取り付け状態を示す斜視図、図１０（ｄ）は取り付け状態を示す断面図を示している。
【図１１】本考案の実施例５を表わしたものであり、（ａ）は分解斜視図、（ｂ）はＹ−Ｙ’部分拡大断面図を示している。
【図１２】本考案の実施例５を表わしたものであり、（ａ）は表面から見た斜視図、図１２（ｂ）は背面から見た斜視図を示している。
【図１３】本考案の実施例５の変形例を表わしたものであり、（ａ）は正面から見た斜視図、（ｂ）は背面から見た斜視図、（ｃ）は変形例１のＺ−Ｚ’部分拡大断面図、（ｄ）は変形例２のＺ−Ｚ’部分拡大断面図を示している。
【図１４】本考案の実施例５並びに実施例５の変形例１を室内に取り付けた略図を示している。
【図１５】本考案の実施例５の変形例１に壁面装着具を取り付ける一例を示したものであり、（ａ）は取り付け手順を示す斜視図、（ｂ）は取り付け状態を示す斜視図、（ｃ）は取り付け状態を示す拡大断面図を示している。
【図１６】本考案の実施例６の分解斜視図を表わしたものである。
【図１７】本考案の実施例６を表わしたものであり、（ａ）は斜視図、（ｂ）は棚板及びフック部材を取り付けた斜視図、（ｃ）は棚板を取り付けた状態の拡大断面図、（ｄ）はフック部材を取り付けた状態の拡大断面図を示している。
【考案を実施するための形態】
【００１９】
本考案は、正面側に物品保持部が形成されていて背面側が強磁性体製物品に磁気吸着可能な壁面装着具と、強磁性体製でなる壁面とからなり、強磁性体製の壁面には多数の嵌合穴が形成されていると共に、壁面装着具の背面には、この嵌合穴に挿入可能な係止突起が形成されており、壁面装着具は、その係止突起を、強磁性体製の壁面に形成された嵌合穴に挿入することにより、この強磁性体製の壁面に対して移動が規制された状態で磁気吸着にて取り付けられることを基本構成とするものであり、以下実施例に沿って、詳細に説明していく。
【実施例１】
【００２０】
図１は、本考案における壁面装着具としての棚受を用いた実施例１を表わしたものであり、図１（ａ）は棚受本体の分解斜視図、図１（ｂ）は棚受の分解斜視図、図１（ｃ）は棚受の背面から見た斜視図、図１（ｄ）は棚受の正面から見た斜視図を示している。
【００２１】
これらの図に示されるように、棚受１は、棚受本体２とマグネット６とで構成されており、この棚受本体２は、さらに、受け部３、係止突起４、保持部５の部材で構成されている。
棚受本体２はステンレス等の金属製となっており、受け部３は断面略Ｌ字状で、板厚約１．５ｍｍ、幅約２０ｍｍ、高さ約４０ｍｍ程度に形成され、保持部５は段付きの平行な形態で、板厚約１．５ｍｍ、幅約２０ｍｍ、高さ約３３ｍｍ程度に形成され、係止突起３は直径約５ｍｍ長さ約６ｍｍ程度に形成されていて、相互に溶接等で固定した後、メラミン焼付塗装等の適宜の表面処理が施されている。
【００２２】
なお、受け部３と保持部５との間には、後述する棚板を取り付けるために、受け部３の下部に設けた載置面３ａ上に棚板嵌合溝７ｂ並びに棚板立ち上がり部嵌合空間７ａからなる物品保持部７ｃが形成されている。
【００２３】
そして、棚受本体２の背面には、略同一形状で、上記の係止突起が挿入可能な孔部６ａが形成された厚さ約１〜２ｍｍ程度のマグネット６を接着剤にて固定している。
【００２４】
なお、このマグネット６は、フェライト系、マンガン・アルミニウム系、サマリウム・コバルト系、ネオジウム・鉄・ホウ素系、サマリウム・鉄・窒素系等の硬質磁性材料からなる磁石材料微粉末を有機高分子エラストマーに練り込み着磁された樹脂製マグネット等、適宜の材料のマグネットが用いられる。
【００２５】
以上の構成でなる棚受１の壁面への取り付けは、図２（ａ）の取り付け手順を示す斜視図、図２（ｂ）の取り付け状態を示す斜視図、図３（ａ）の取り付け状態を示す断面図、図３（ｂ）の取り付け状態を示す背面図に表わされるように行われる。
【００２６】
即ち、壁面Ｚは、強磁性体製となっており、本実施例においては、ステンレスレス鋼板等の強磁性体製の壁面板Ｓを使用している。
そして、その全面には、棚受１に形成される係止突起４が挿入できる可及的に小さな寸法で形成される円形の嵌合穴Ｓａが多数個、パンチング加工等で打ち抜かれて形成されたものを使用する。
【００２７】
なお、本実施例においては、後述する他の実施例とは異なり、壁面Ｚとして必ずしも実施例に示すような板状でなる壁面板Ｓを使用しなくてもよく、要は磁気吸着する強磁性体製の材料で、棚受1の係止突起4が収納できる嵌合穴が形成されておれば使用可能である。
【００２８】
そして、図２（ａ）の矢印に示すように、棚受１に形成される係止突起４を、壁面板Ｓに形成された嵌合穴Ｓａに挿入すると、図２（ｂ）の斜視図、図３（ａ）の断面図、図３（ｂ）背面図に表わされるように、棚受１はその係止突起４が最小隙間で挿入された状態で壁面板Ｓに磁気吸着力にて取り付けられる。
従って、棚受１に負荷される荷重Ｗは、棚受１と壁面板Ｓ間の磁気吸着力Ｆに加えて、棚受１の係止突起４の下面と壁面板Ｓの嵌合穴Ｓａ間に派生する滑り阻止力Ｐにより受け止められるが、この滑り阻止力Ｐは、最大で係止突起４の剪断力或いは嵌合穴Ｓａが破損する力に相当する、即ち壊れなければ外れないという大きな力となるので、通常棚受１は壁面板Ｓに対して下方向に移動できない状態で確実に固定されることになる。
【００２９】
なお、この現象は、磁気吸着力Ｆが必ずしも従来のように荷重Ｆを支えるだけの力は必要とならないことに通じるので、磁気吸着力Ｆは、係止突起４と壁面板Ｓの嵌合穴Ｓａに対する損傷が生じない範囲で、低減化させることが可能ということになる。
【００３０】
次に、本考案の壁面装着具の取り付け構造について、本実施例１の棚受１を使った、具体的な棚板の取り付け構造を用いて説明する。
図４（ａ）は、棚板の取り付け手順を示す斜視図であり、先ず、強磁性体製で、パンチング等で多数打ち抜かれた嵌合穴Ｓａ，Ｓａ，Ｓａ．．．を有する壁面板Ｓにおける、同一高さの位置で適宜の２箇所の嵌合穴Ｓａ，Ｓａに対して、前述したような手順で、夫々、棚受１，１の係止突起４，４を挿入すると、図に示すように、棚受１，１は、壁面板Ｓに磁気吸着で取り付けられる。
そして、この状態から、棚受１，１の各側面に形成される棚板立ち上がり部嵌合空間７ａ，７ａに対して、棚板８の立ち上がり部８ａを一致させて挿入していくと、棚板８の底板部８ｂも、棚受１，１に形成される棚板嵌合溝７ｂ，７ｂに挿入されて、図中想像線で示されるような形態、及び、図４（ｂ）の拡大断面図に示すように取り付けられることになる。
【００３１】
このように、壁面板Ｓに対して、棚受１，１、並びに、棚板８を簡単に取りつけることができ、しかもその取り付け状態は前述したとおり、棚受１，１が下方に滑ることなく確実かつ強固な力で取り付けられることになる。
【実施例２】
【００３２】
実施例１の棚受の係止突起は、単なる棒状の形態となっているので、差し込みと反対方向、即ち正面側には、抜け易い構成となっている。
もちろん、磁気吸着力が強く作用している時には抜けるような現象は起こらないが、本考案は前述したように磁気吸着力を若干弱くして実施することも可能な構成となっているので、完全固定される前の工程等を勘案すると、係止突起自体に抜け止めの機能を持たすことも有益な構造となるので、その一例としての実施例２を説明する。
なお、実施例１と重複する内容は、その説明を割愛する。
【００３３】
図５は、実施例２を表わしたものであり、図５（ａ）は取り付け手順を示す斜視図、図５（ｂ）は取り付け手順を示す拡大背面図、図５（ｃ）は取り付け状態を示す斜視図、図５（ｄ）は取り付け状態を示すＡ−Ａ’断面図、図５（ｅ）は取り付け状態を示すＢ−Ｂ’断面図を示している。
【００３４】
そして、本実施例２の棚受１１における係止突起１４は、図５（ａ）、図５（ｄ）、図５（ｅ）に示すように丸棒を略中央の位置まで水平に削り落とした断面略半円形状となっており、その先端部の下方には断面略半円形の抜け止め部１４ａが設けられている。
従って、本実施例は、別の表現をすれば、円柱の付け根部分の下方を断面略半円形状まで削り取って、残った上方の部分が係止突起１４、削らない先端部分が抜け止め部１４ａとなる形態ということになる。
また、強磁性体製の壁面板Ｓには、棚受１１の係止突起１４並びに抜け止め部１４ａが挿入可能な正方形の嵌合穴Ｓｂが複数設けられている。
【００３５】
強磁性体製の壁面板Ｓへ棚受１１を取り付けるには、図５（ａ）及び図５（ｂ）の矢印に示すように、壁面板Ｓの嵌合穴Ｓｂに挿入したのち下方向に移動させるだけでよい。
すると、図５（ｃ）の斜視図、図５（ｄ）のＡ−Ａ’断面図、図５（ｅ）のＢ−Ｂ’断面図に表わされるように、棚受１１の係止突起１４の下面１４ｂが、壁面板Ｓの嵌合穴Ｓｂの下面に当接し、その状態で棚受１１に貼着されているマグネット１６が、強磁性体製の壁面板Ｓに対峙するため、棚受１１は壁面板Ｓに磁気吸着力にて取り付けられることになる。
この時、棚受１１の係止突起１４の先端部に設けられている抜け止め部１４ａは、壁面板Ｓの嵌合穴Ｓｂの下方の内面側に挿入された状態になっており、棚受１１を正面方向に引っ張るような力が作用しても、外れることはない。
【００３６】
なお、棚板の係止突起及び抜け止め部の形状、並びにそれらが挿入するための強磁性体製の壁面に形成する嵌合穴は、上記実施例１及び実施例２に限らず各種に変形して実施することができる。
図６は、実施例２の変形例を表わしたものであり、図６（ａ）は取り付け手順を示す斜視図、図６（ｂ）は取り付け手順を示す拡大正面図、図６（ｃ）は取り付け状態を示す斜視図、図６（ｄ）は取り付け状態を示すＣ−Ｃ’断面図、図６（ｅ）は取り付け状態を示すＤ−Ｄ’断面図を示している。
この変形例は、抜け止め部の面積を大きくするように形成したものであり、具体的には棚受２１における係止突起２４の幅は、実施例１における棚板１１の係止突起１４と同様であるが、係止突起２４と抜け止め部２４ａとで合成される高さ寸法は、幅寸法の２倍、即ち、実施例１の２倍に形成されている。
【００３７】
そして、本変形例の棚受２１における係止突起２４の断面形状は、図６（ａ）、図６（ｄ）、図６（ｅ）に示すように幅寸法及び高さ寸法は同一だが、上面は幅の半分の径寸法でなる円弧形状で、下面は幅と同一寸法の直線、側面も直線形状となっており略砲弾形状となっている。
また、抜け止め部２４ａの形状は、係止突起２４の下面２４ｂに対して係止突起２４と対称形状となるように形成されている。
また、強磁性体製の壁面板Ｓには、棚受２１の係止突起２４並びに抜け止め部２４ａが挿入可能な長円形の嵌合穴Ｓｃが複数設けられている。
【００３８】
強磁性体製の壁面板Ｓへの棚受２１を取り付けるには実施例１と同様であり、図６（ａ）及び図６（ｂ）の矢印に示すように、壁面板Ｓの嵌合穴Ｓｃに挿入したのち下方向に移動させるだけでよい。
すると、図６（ｃ）の斜視図、図６（ｄ）のＣ−Ｃ’断面図、図５（ｅ）のＤ−Ｄ’断面図に表わされるように、棚受２１の係止突起２４の下面２４ｂが、壁面板Ｓの嵌合穴Ｓｃの円弧の基点部分で寸法的に移動できなくなって停止し、その状態で棚受２１に貼着されているマグネット２６が、強磁性体製の壁面板Ｓに対峙するため、棚受２１は壁面板Ｓに磁気吸着力にて取り付けられることになる。
この時、棚受２１の係止突起２４の先端部に設けられている抜け止め部２４ａは、壁面板Ｓの嵌合穴Ｓｃの下方の内面側に挿入された状態になっており、棚受２１を正面方向に引っ張るような力が作用しても、外れることはない。
【００３９】
なお、変形例における、係止突起２４の下面２４ｂを平面状にしたのは切削加工する場合に実施し易くしためであってこれにこだわる必要はなく、壁面板Ｓの嵌合穴Ｓｃの下端のように円弧状に形成してもよいし、或いは、壁面板Ｓの嵌合穴Ｓｃの形状を長円形に換えて長方形として、係止突起の下面が壁面の嵌合穴の下端に確実に接触するようにしてよいことは言うまでもない。
このように、棚受における係止突起及び抜け止め部の形状、壁面の嵌合穴の形状は嵌合に支障のない範囲であれば自由に変形させて実施することができる。
【実施例３】
【００４０】
図７及び図８は、実施例３を表わしたものであり、図７（ａ）は棚受の正立状態の斜視図、図７（ｂ）は取り付け手順を示す斜視図、図７（ｃ）は取り付け手順を示す拡大背面図、図７（ｄ）は棚受の挿入状態を示す斜視図、図７（ｅ）は取り付け状態を示す斜視図、図８（ａ）は取り付け状態を示すＥ−Ｅ’断面図、図８（ｂ）は取り付け状態を示すＦ−Ｆ’断面図を示している。
【００４１】
実施例３は、棚受の抜け止め構造を、実施例２のような下方向への挿入操作ではなく、回転操作で行うことを特徴としたものとなっている。
【００４２】
本実施例の棚受３１における係止突起３４の断面形状は、図７（ａ）及び図７（ｂ）の斜視図や、図８（ｂ）の断面図に示すように円柱状となっていて、その下方及び上方には
係止突起３４と同幅、且つ、同一円弧形状で、高さが係止突起３４の半径寸法の抜け止め部３４ａ，３４ａが突出するように設けられ、これらを総称した外観的な鍔状部３４ｄが形成されている。
また、強磁性体製の壁面板Ｓには、棚受３１の鍔状部３４ｄが挿入可能な長円形の嵌合穴Ｓｄが水平方向に横長となる状態で複数設けられている。
【００４３】
そして、強磁性体製の壁面板Ｓへ棚受３１を取り付けるには、先ず、棚受３１を図７（ａ）の状態から図７（ｂ）のように、鍔状部３４ｄが略水平となるように回転させてこの、鍔状部３４ｄを強磁性体製の壁面板Ｓに設けられた嵌合穴Ｓｄ内に挿入する。
次に、図７（ｃ）及び図７（ｄ）の矢印で示すように棚受３１を垂直状態となるまで回転させて手を離すと棚受３１に貼着されているマグネット３６が、強磁性体製の壁面板Ｓに対峙しているため、棚受３１は壁面板Ｓに磁気吸着力にて取り付けられることになる。
この時、棚受３１の係止突起３４の先端部に設けられている抜け止め部３４ａ，３４ａは、壁面板Ｓの嵌合穴Ｓｄの下方向及び上方向の内面側に挿入された状態になっており、棚受３１を正面方向に引っ張るような力が作用しても、外れることはない。
【００４４】
なお、本実施例においては、抜け止め部３４ａを係止突起３４の上下２箇所に設けたが、片方だけで実施してもよく、その場合には、壁面板Ｓに形成された嵌合穴Ｓｄもその形状に合わせた形状に変更して実施するのが好ましい態様となる。
また、本実施例においても、棚受における係止突起及び抜け止め部の形状、壁面の嵌合穴の形状は嵌合に支障のない範囲であれば自由に変形させて実施することができる。
【００４５】
なお、本考案における棚受の形態は、これまで述べた実施例や変形例に限らず、各種に変形して実施することができる。
例えば実施例１及び実施例２に対応する棚受については、図９（ａ）の変形例１であるところの斜視図に示すように、棚受４１の係止突起４４は、２箇所設けてもよいし、それ以上設けてもよい。
【００４６】
また、図９（ｂ）の変形例２であるところの斜視図に示すように、棚受５１の棚受本体５２は、係止突起５４等の実施例１で示したような複数部材で構成することなく、一部材で構成してもよく、その場合は成形可能な合成樹脂等の適宜な材料を使用することができる。
【００４７】
また、図示はしないが、磁石も板状の磁石に限らず、ネオジ磁石等の小型の磁石を貼着して使用しても良いし、合成樹脂製の棚受の場合には、それ自体に強磁性体粉末を練り込んだ材料を使用し、着磁を施して磁気吸着力を有するようにすることで図５（ｂ）に示すようなマグネット５６を省略するような構成で実施するようにしてもよい。
【実施例４】
【００４８】
これまでは、壁面装着具として棚受を使用した構成を説明してきたが、それ以外にも、単独で使用できる用途等も当然に可能であるので、その実施例についても説明する。
【００４９】
図１０は、壁面装着具をフック部材とした構成を示したものであり、図１０（ａ）は背面から見た斜視図、図１０（ｂ）は正面から見た斜視図、図１０（ｃ）は実使用時の取り付け状態を示す斜視図、図１０（ｄ）は取り付け状態を示す断面図を示している。
【００５０】
これらの図に表わされるように、フック部材６１は、係止突起６４が設けられたフック本体６２に、マグネット６６を貼着して構成されている。
そして、フック本体６２は、垂直板６２ａとその下方に空間部６２ｂを介して正面側に立ち上がらせたフック部６２ｃで構成し、このフック部６２ｃが物品保持部を形成している。
なお、それ以外の構成は、これまで述べた各実施例や各変形例と同様であるので説明は割愛する。
従って、フック部材６１の強磁性体製の壁面板Ｓへの取り付けも、同様に行われ、フック部材６１の係止突起６４を、強磁性体製の壁面板Ｓに設けられた嵌合穴Ｓａに挿入するだけで完了することになる。
そして、図１０（ｃ）に示すように、フック部６２ｃには、キーホルダーＫ等を引っ掛けて使用することができることになる。
【００５１】
なお、単独として使用する壁面装着具としては、他にも一輪挿しの受け具等考えられるが、それらの用途に応じた形態で各種に変形して実施すればよく、これまで述べた各種実施例や変形例の技術も当然に搭載することができる。
【実施例５】
【００５２】
次に、これまで述べた、壁面装着具を取り付けるための強磁性体製の壁面の具体的構成について説明する。
図１１〜図１５は、強磁性体製の壁面を使用した壁面板上下伸縮型のパネルを表わした実施例５並びに変形例を示したものである。
【００５３】
そのうち図１１及び図１２は実施例５であるところの壁面板上下伸縮型のパネル７０を表わし、図１１（ａ）は分解斜視図、図１１（ｂ）はＹ−Ｙ’部分拡大断面図、図１２（ａ）は表面から見た斜視図、図１２（ｂ）は背面から見た斜視図を示したものである。
【００５４】
壁面板上下伸縮型のパネル７０は、凡そ、強磁性体製の壁面板７１と、金属製枠体７２と、アジャスター７４，７４，７４，７４とで構成されている。
強磁性体製の壁面板７１は、磁石が吸着する、鋼板、クロム鋼板、ステンレス鋼板等を使用し、そこにこれまで述べた壁面装着具の係止突起が嵌合するための嵌合穴７１ａが、多数個水平方向に並んだ状態で、複数列形成されている。
なお、寸法は用途によって異なるが、一例として、幅３００ｍｍ〜６００ｍｍ、高さ２１００ｍｍ〜２４００ｍｍ程度の大きさで、板厚は０．８ｍｍ程度のものを使用する。
金属製枠体７２は、断面正方形の幅２５ｍｍ程度で板厚は約１．２ｍｍ程度の角パイプを使用し、上記強磁性体製の壁面板７１の外形と一致するような寸法に切断し溶接して完成させる。本実施例においては、長尺部材７２ａを２本、短尺部材７２ｂを５本使用して溶接にて接合している。
【００５５】
そして、長尺部材７２ａの両端の開放部には、図１（ｂ）の拡大断面図に示すように、ナット部材７３が溶接にて取り付けられており、ここに、アジャスター７４が螺合して取り付けられるようになっている。
【００５６】
この状態から、強磁性体製の壁面板７１と、金属製枠体７２とをスポット溶接にて取り付け、さらに、金属製枠体７２の長尺部材７２ａ，７２ａの両端にアジャスター７４，７４，７４，７４を螺合して取り付ければ、図１２（ａ）の表面から見た斜視図、図１２（ｂ）の背面から見た斜視図のように完成する。
【００５７】
なお、強磁性体製の壁面板７１および金属製枠体７２には、装飾性や耐食性向上等を目的とした各種の表面処理が殆んどの場合に施されることになるが、目的や用途さらに施す時期や工程等多岐に亘っての説明が必要となると共に、考案の本質部分とは異なるため、今回はその説明は割愛する。
【００５８】
なお、アジャスター７４は、上下に取り付ける面、即ち部屋の床面及び天井等の距離を調整しつつ突っ張って取り付ける役目のものであり、取り付ける距離のバラツキガが少ない場合は、本実施例のような単純な構成で実施することができる。
しかし、取り付ける距離の許容範囲が大きく必要な場合や、取り付け作業性を向上させるためには、大きな調整が可能な構成が必要となる。
【００５９】
図１３は、実施例５の変形例を表わしたものであり、図１３（ａ）は正面から見た斜視図、図１３（ｂ）は背面から見た斜視図、図１３（ｃ）は変形例１のＺ−Ｚ’部分拡大断面図、図１３（ｄ）は変形例２のＺ−Ｚ’部分拡大断面図を表わしている。
変形例における壁面板上下伸縮型のパネル８０は、凡そ、実施例５と同様な、嵌合穴８１ａを多数形成した強磁性体製の壁面板８１と、金属製枠体８２と、複数のアジャスター８４とを具備するが、金属製枠体８２の上部に設ける上下調整機構が追加される構成となるので、この点について説明する。
【００６０】
図１３（ｃ）に示す変形例１は、金属製枠体８２の長尺部材８２ａの上部内面に、長めの螺子部を有するボルト８３が溶接にて固定されていて、この螺子部に可動軸部材８５の下面が螺合することにより、可動軸部材８５は矢印に示す回転操作をすることにより上下方向の矢印のように移動が可能となり、上下方向の長さ調整ができる構成となっている。
【００６１】
なお、可動軸部材８５の構成は、角パイプでなる金属製枠体８２の長尺部材８２ａの内面に嵌合可能な円形パイル状のパイプ本体８５ａ、このパイプ本体８５ａの下端内面に溶接にて取り付けられたナット部材８５ｂ、パイプ本体８５ａの上端に接着等適宜な手段で取り付けられる樹脂製のキャップ８５ｃとで構成される。
【００６２】
なお、この構成の場合のアジャスター部材は、可動軸部材８５自体にアジャスター機能も兼ね備えることになるので、基本的には使用しなくてもよいが、必要に応じて可動軸部材８５の上面にアジャスター８４を設けてもよい。
【００６３】
図１３（ｄ）に示す変形例２は、金属製枠体８２の長尺部材８２ａの上端面に、側面に水平方向に移動自在に螺合した位置決めボルト８８を設けたリング部材８７を溶接等で取り付けて使用する。
そして、このリング部材８７の内面並びに金属製枠体８２の長尺部材８２ａの内面に対して、摺動自在で側面の長手方向に上述した位置決めボルト８８の先端部が挿入可能な位置決め孔８９ｂを複数設けられ、上部内面にナット部材８９ｃを溶接したパイプ本体８９ａからなる可動軸部材８９と、ナット部材８９ｃに螺合して使用するアジャスター８４とで構成されている。
【００６４】
この変形例における長さ調整は、可動軸部材９を所定の位置まで異動させた状態で、そこに設けられた位置決め孔８９ｂに対してリング部材８７に取り付けられた位置決めボルト８８の先端をねじ込んで挿入させることにより実施することができる。
そして、この構成の場合には細かなアジャスター機能はないので、可動軸部材８９の上面に取り付けたアジャスター８４にて、長さ調整をすることになる。
【００６５】
図１４は、実施例５並びに実施例５の変形例１を室内に取り付けた略図を示したものである。
即ち、図中左側は、実施例５の壁面板上下伸縮型のパネル７０の取り付けられる状態が表わされており、壁面板上下伸縮型のパネル７０は、室内Ｒの壁Ｋに沿って天井Ｔと床面Ｆとの間にアジャスター７４によって突っ張るように取り付けられている。
また、図中右側は、実施例５の変形例１による壁面板上下伸縮型のパネル８０の取り付けられる状態が表わされており、壁面板上下伸縮型のパネル８０は、室内Ｒの壁Ｋに沿って天井Ｔと床面Ｆとの間に、可動軸部材８５を螺合による回転によって突っ張るように装着され、さらにアジャスター８４にて微調整されつつ取り付けられている。
このように、実施例５並びに実施例５の変形例１による壁面板上下伸縮型のパネル７０，８０は室内等の天井及び床面間に確実に取り付けることができる。
【００６６】
なお、可動軸部材の構成は、これらの変形例１並びに変形例２に限ることなく、他の適宜の構造で実施してもよい。
【００６７】
また、図１５は、壁面板上下伸縮型のパネルに壁面装着具を取り付ける一例を示したものであり、具体的には、実施例５の変形例１による壁面板上下伸縮型のパネル８０に、実施例１の棚受１，１使用による棚板８を取り付ける状態を示している。
先ず、図１５（ａ）の取り付け手順を示す斜視図のように、壁面板上下伸縮型のパネル８０の強磁性体製の壁面板８１に設けられた多数の嵌合穴のうち水平方向の高さが同じの適宜の嵌合穴８１ａ，８１ａに対して、棚受１，１に設けられている係止突起４，４を挿入し、その状態からさらに、棚受１，１の棚板立ち上がり部嵌合空間７ａ，７ａ、及び、棚板嵌合溝７ｂ，７ｂに対して、棚板８の立ち上がり部８ａ及び底板部８ｂを側面から挿入すると、図１５（ｂ）の取り付け状態を示す斜視図、並びに、図１５（ｃ）の取り付け状態を示す拡大断面図に表れるように、壁面板上下伸縮型のパネル８０に対して、棚板８が、棚受１，１を介して取り付けられる。
【実施例６】
【００６８】
図１６〜図１７は、壁面装着具を取り付けるための強磁性体製の壁面の具体的構成のうちの、実施例６による壁面板磁気吸着型パネルを表わしたものである。
即ち実施例６による壁面板磁気吸着型パネル９０は、図１６の分解斜視図に表わされるように、実施例６の壁面板磁気吸着型パネル９０は、概ね、強磁性体製の壁面板９１、マグネット製スペーサー９２、強磁性体製台板９３とで構成されている。
【００６９】
強磁性体製の壁面板９１には、これまで説明してきたものと同様な形態であって正方形の嵌合穴９１ａが多数形成されている。
マグネット製スペーサー９２は、幅約２０ｍｍ〜３０ｍｍ、厚さ約２ｍｍ〜３ｍｍ程度の帯状のマグネットを使用したもので、上記の強磁性体製の壁面板９１の裏面周囲を縁取るように磁気吸着して用い、さらにその中間部にも適宜設けられる。本実施例においては、強磁性体製の壁面板９１の略高さ寸法に相当する長尺部材９２ａを２本、強磁性体製の壁面板９１の略幅寸法からマグネット製スペーサー９２の幅寸法の２倍強短くした短尺部材９２ｂを５本使用している。
【００７０】
なお、このマグネット製スペーサー９２は、後述するように、強磁性体製の壁面板９１と強磁性体製台板９３との間を磁気吸着で接合するものであるが、この厚さ寸法は前述した壁面装着具における係止突起及び抜け止め部が挿入可能な空間を確保するスペーサーとしての役目を果たすものとなっている。
【００７１】
また、強磁性体製台板９３は、磁石が磁気吸着する強磁性体製のものであればどのような仕様でも構わないが、本実施例においては、縦横約２０ｍｍ〜３０ｍｍ程度の角材を使用した木枠９３ａ、厚さ１０ｍｍ程度の木製或いは合板製の表面板９３ｂ、厚さ０．１〜０．２７ｍｍ程度のガルバリウム鋼板（登録商標）等からなる強磁性体板９３ｃ、厚さ０．５ｍｍ程度で各種レザーシート等からなる表面部材９３ｄとで構成されている。
【００７２】
そして、図１６の矢印に示すように、強磁性体製の壁面板９１の裏面に、長尺部材９２ａ２本と短尺部材９２ｂａ５本からなるマグネット製スペーサー９２を磁気吸着にて取り付け、さらに、このマグネット製スペーサー９２の裏面に強磁性体製台板９３を磁気吸着にて取り付けると、図１７（ａ）の斜視図にしめすような壁面板磁気吸着型パネル９０が完成する。
【００７３】
そして、強磁性体製の壁面板９１の嵌合穴９１ａを使って、各種の壁面装着具を磁気吸着にて取り付けることができる。
図１７（ｂ）はその斜視図を表わしたものであり、実施例２の棚受１１，１１を使って棚板８を取り付けた状態、並びに、キーホルダーＫを引っ掛けた実施例４のフック部材６１の取り付け状態を示している。
【００７４】
また、図１７（ｃ）は、実施例２の棚受１１，１１を使って棚板８を取り付けた状態の拡大断面図を表わしたものであり、最終的に、棚受１１は強磁性体製の壁面板９１に対してマグネット１６で磁気吸着にて取り付けられることになるが、このとき、本考案においては、棚受１１に設けられている係止突起１４並びに抜け止め部１４ａは、マグネット製スペーサー９２の厚さで形成される間隙部Ｄに収納されるように、各部材の寸法が設定されており、取り付け作業及び取り付け強度には何ら影響を与えないようになっている。
【００７５】
図１７（ｄ）は、実施例４のフック部材６１を取り付け状態の拡大断面図を表わしたものであり、この場合も最終的に、フック部材６１は強磁性体製の壁面板９１に対してマグネット６６で磁気吸着にて取り付けられることになるが、このときも、フック部材６１に設けられている係止突起６４は、マグネット製スペーサー９２の厚さで形成される間隙部Ｄに収納されるように、各部材の寸法が設定されており、取り付け作業及び取り付け強度には何ら影響を与えないようになっている。
【００７６】
本考案は、これまで述べた各実施例や変形に限ることなく、その主旨を逸脱しない範囲で各種に変形して実施することが可能である。
【産業上の利用可能性】
【００７７】
本考案は、簡単な構成でありながら、強磁性体製の壁面に対して、壁面装着具を、下方向に滑る現象を起こさずに確実に磁気吸着力にて取り付けることができる。
従って、取り付け作業が簡単にでき、しかも、荷重の大きな物品も壁面に取り付けることが可能となり、部屋等の空間を有効活用することができるため、利用度は拡大していくものと想定される。
【符号の説明】
【００７８】
Ｚ  壁面
Ｓ  壁面板
Ｓａ  円形の嵌合穴
Ｓｂ  正方形の嵌合穴
Ｓｃ、Ｓｄ  長円形の嵌合穴
Ｗ  荷重
Ｆ  磁気吸着力
Ｐ  滑り阻止力
Ｋ  キーホルダー
Ｒ  室内
Ｋ  壁
Ｔ  天井
Ｆ  床面
Ｄ  間隙部
１、１１、２１、３１、４１、５１  棚受
２、５２  棚受本体
３  受け部
３ａ  載置面
４、１４、２４、３４、４４、５４  係止突起
５  保持部５
６、１６、２６、３６、５６  マグネット
６ａ  孔部
７ａ  立ち上がり部嵌合空間
７ｂ  棚板嵌合溝
７ｃ  物品保持部
８  棚板
８ａ  立ち上がり部
８ｂ  底板部
１４ａ、２４ａ、３４ａ  抜け止め部
１４ｂ、２４ｂ  下面
３４ｄ  鍔状部
６１  フック部材
６２  フック本体
６２ａ  垂直板
６２ｂ  空間部
６２ｃ  フック部
６４  係止突起
６６  マグネット
７０、８０  壁面板上下伸縮型のパネル
７１  壁面板
７１ａ、８１ａ  嵌合穴
７２  金属製枠体
７２ａ、８２ａ  長尺部材
７２ｂ  短尺部材
７３  ナット部材
７４、８４  アジャスター
８３  ボルト
８５  可動軸部材
８５ａ  パイプ本体
８５ｂ  ナット部材
８５ｃ  キャップ
８７  リング部材
８８  位置決めボルト
８９  可動部材
８９ａ  パイプ本体
８９ｂ  位置決め孔
８９ｃ  ナット部材
９０  壁面板磁気吸着型パネル
９１  強磁性体製の壁面板
９１ａ  嵌合穴
９２  マグネット製スペーサー
９２ａ  長尺部材
９２ｂ  短尺部材
９３  強磁性体製台板
９３ａ  木枠
９３ｂ  表面板
９３ｃ  強磁性体板
９３ｄ  表面部材
【図１】
0003156750.tif 000003
【図２】
0003156750.tif 000004
【図３】
0003156750.tif 000005
【図４】
0003156750.tif 000006
【図５】
0003156750.tif 000007
【図６】
0003156750.tif 000008
【図７】
0003156750.tif 000009
【図８】
0003156750.tif 000010
【図９】
0003156750.tif 000011
【図１０】
0003156750.tif 000012
【図１１】
0003156750.tif 000013
【図１２】
0003156750.tif 000014
【図１３】
0003156750.tif 000015
【図１４】
0003156750.tif 000016
【図１５】
0003156750.tif 000017
【図１６】
0003156750.tif 000018
【図１７】
0003156750.tif 000019